(57)【要約】【課題】傘をさしていて強風で傘が大きな風圧を受けたとき、傘の使用者が何ら特別な操作をしなくても自然に風圧を和らげ、傘骨の折損から傘を守ることができる傘を提供する。【解決手段】傘の親骨と支持骨の連結部に近接して親骨の先端側を切断し、その両端部をコイルバネにより連結したことを特徴とする傘である。【選択図】図１
2011087887.tif 000002
【特許請求の範囲】
【請求項１】
親骨と支持骨の連結部に近接して親骨の先端側を切断し、その両端部をコイルバネにより連結したことを特徴とする傘布にかかる風圧を軽減する傘。
【請求項２】
親骨と支持骨の連結部から親骨先端部までの中間部分にさらに１個所コイルバネによる連結部を設けたことを特徴とする請求項１記載の傘布にかかる風圧を軽減する傘。
【請求項３】
親骨と支持骨の連結部から先の親骨をすべてコイルバネで構成したことを特徴とする請求項１記載の傘布にかかる風圧を軽減する傘。
【発明の詳細な説明】
【技術分野】
【０００１】  本発明は、強風を受けても親骨が折れ曲がりにくい傘に関するものである。
【背景技術】
【０００２】  従来使われている傘は、雨傘であれ日傘であれ前方から吹いてくる風に対しては比較的強度があり、強風でも傘を少しつぼめることで親骨等への損傷をかなり防ぐことができる。しかし、急に風向きが変わり横から吹きつけてきたり、後方から突風がやってくると対応しきれない場合が多い。傘を飛ばされそうになったり、傘が逆反りしていわゆるおちょこの状態となり、親骨が折れ曲がってしまうなどの影響を受けやすい。【０００３】  こうした傘の持つ弱点を補うために、これまで多数のアイデアが提案されているが、その多くは傘布の一部に通風窓を設けて風を逃がすもの、傘の親骨を強固にするもの、補強材（線）を傘の内側空間に張り逆反りを防止するものなどである。しかしこうした対応では強い風圧に耐えられなかったり、傘ごと人が飛ばされるのではとの心配が残る。この他に、親骨上の何か所かに親骨が折れ曲がる関節を設けたもの（特許文献１参照）、親骨の途中にコイルバネを設けたもの（特許文献２参照）などが提案されている。
【先行技術文献】
【０００４】
【特許文献１】特開２００５−８１１２９号公報
【特許文献２】実登３１３５２３３号
【発明の概要】
【発明が解決しようとする課題】
【０００５】  上記特許文献１は親骨上に関節を設けた点は、上述した他の方法と比べて風圧を減衰させるうえで有効ではあるが、その関節の曲がる方向が一方向だけというのが欠点である。傘の後方から吹き込む風以外にも横風や前方からも強風は来るし、その場合は無防備で親骨その他が損傷を受けるおそれが十分に残る。特許文献２は、親骨をピアノ線またはステンレス線で作り、その途中を巻いてコイルバネにしたものであるが、バネの部分はよいとしても、親骨がピアノ線等では傘全体がふらつき不安定で使用しにくいのではないかという懸念が残る。本願発明はこれらの欠点を解決するためになされたものである。
【課題を解決するための手段】
【０００６】  上記の課題を解決するために請求項１に記載のアイデアは、親骨と支持骨の連結部に近接して親骨の先端側を切断し、その両端部をコイルバネにより連結したことを特徴とする傘布にかかる風圧を軽減する傘である。【０００７】  広く一般に使用されている傘は、傘頭頂部の石突から放射状に伸びる親骨の中央付近を、柄部をスライドする昇降筒から放射状に伸びる支持骨が支える仕組みとなっており、強風が吹いてきた場合、傘布の面積が広い外縁部分により大きい風圧がかかりそれが集結する親骨と支持骨の連結部近辺で親骨が折れ曲がりやすくなる。これを防止するためには連結部分の親骨を補強して折れにくくするか、連結部分に柔軟性をもたせ風圧を受けても曲がるだけで折れない素材を用いる方法がよいと考えられる。【０００８】  前者の方法はすでに一部の傘で親骨に補強用の棒を包み込む方法で採用されており、ある程度までの風圧に対しては強度が増し有効な方法である。しかしこれも程度問題で、極端に強い風圧を受ければ親骨は折れるし、そうなれば復元できないのが欠点である。【０００９】  後者は本願発明が提案する方法であるが、親骨と支持骨の連結部に近接し親骨先端に近い部位で親骨を切断し、切断した部分をコイルバネで繋ぐ方法である。具体的には、親骨がちょうど入る直径のコイルバネに両親骨を差し込み、コイルバネが抜け落ちないようにバネの両先端を親骨に開けた穴に挿入して固定する。【００１０】  コイルバネの縦断面が円形なのに対し、通常の親骨の断面はコの字形となっていてコイルバネを挿入しても座りがわるいので、親骨の断面を円形にする詰め物を詰めてから挿入すると装着状態もよく、またバネの機能を十分に発揮することができる。【００１１】  コイルバネの大きさは、親骨を差し込んだときにゆるすぎてもいけないし、無理に押し込まなければ入らないほど固すぎてもよくない。ゆるすぎると親骨にガタが生じるし、固すぎるとバネの正常な働きが阻害される。ちょうどよく入る大きさがよい。【００１２】  コイルバネの強さについては、強すぎず弱すぎず、適度な強さが要求される。すなわち、かなりの風圧を受けても曲がらないほど強すぎると、傘を持つ手に大きな風圧がかかりバネを設けた意味がない。逆にバネが弱すぎると、傘をさして歩くときの振動や弱い風の風圧で傘の外縁部がゆらゆらと揺れ、親骨が容易に曲がって使いにくい傘となる。弱い風や少々の振動ではびくともせず、ある程度の風圧を受けたときに折れ曲がり風圧を逃がす程度の硬さが理想的である。【００１３】  １本のバネでは十分な強度が得られない場合には、装着したコイルバネの上にもう１本直径の少し大きいコイルバネを被せて強度を高める方法もある。コイルバネのよい点は、バネの素材や太さによりバネの強度を調節でき、しかも９０度以上も曲がるうえに復元力が優れている点である。【００１４】  上記課題を解決するために請求項２に記載のアイデアは、親骨と支持骨の連結部から親骨先端部までの中間部分にさらに１個所コイルバネによる連結部を設けたことを特徴とする請求項１に記載の傘布にかかる風圧を軽減する傘である。【００１５】  このアイデアは、親骨の中間部にもう１個所コイルバネを入れることにより、請求項１に記載���方法と比べて親骨にかかる負担をさらに軽減することができ、強風に対してきめ細かく対応することができるものである。【００１６】  上記課題を解決するために請求項３に記載のアイデアは、親骨と支持骨の連結部から先の親骨をすべてコイルバネで構成したことを特徴とする請求項１記載の傘布にかかる風圧を軽減する傘である。【００１７】  親骨と支持骨の連結部から先をすべてコイルバネにすることにより、傘布に風圧がかかった場合、コイルバネで構成された親骨はさらに柔軟性を発揮し、四方八方から吹いてくる風を「柳に風」のごとく受け流し、親骨が折れることはまずないと考えられる。【００１８】  この他の利点として、傘を差しているときに風にあおられて傘が飛ばされ、物に当たると親骨が折れ曲がってしまうことがあるが、親骨の中央部分から先端までをコイルバネで構成することによりそのような事故を防ぐことが可能となる。
【発明の効果】
【００１９】  傘骨で最も風圧がかかる親骨と支持骨の連結部近くにコイルバネを設けたため、前後、左右、上下いずれの方向から吹く風に対してもコイルバネが自由に曲がって風を受け流すため、一番損傷を受けやすい親骨の折損を防止することができる。また風が一瞬でも止めば、バネの復元力が自動的に働いて即座にコイルバネが親骨を元の状態に戻し、雨傘の場合は傘を指している人が雨にぬれる時間を、日傘の場合は太陽の直射を受ける時間を最短にとどめることができる。この他の効果として、親骨の先端に近い部分が物に当たり衝撃を受けた場合、親骨が全方向に自由に曲がって親骨の折損から傘を守ることができる。
【図面の簡単な説明】
【００２０】
【図１】  広げた傘を内側から見た斜視図で、親骨と支持骨付近にコイルバネを設置した状態を示す。
【図２】  親骨と支持骨の連結部付近の拡大斜視図で、切断した親骨をコイルバネにより連結した状態を示す。親骨の切断個所はバネの下に隠れて見えない。
【図３】  傘を内側から見た斜視図で、親骨と支持骨の連結部分から先をすべてコイルバネで構成した状態を示す図である。
【図４】  矢印方向に強風が吹いたときに、親骨と支持骨の連結部分のコイルバネが上方（外側）へ曲がり傘が逆反りになった状態を表わす斜視図である。
【図５】  矢印方向に強風が吹いたときに、親骨と支持骨の連結部分のコイルバネが下方（内側）へ曲がり、傘の外縁が垂れ下がった状態を表わす斜視図である。
【発明を実施するための形態】
【００２１】  本願発明は以上述べた構成であり、使用方法は次のとおりである。といっても通常の傘と使用方法が特別変わっているものではない。傘が逆反りあるいはその反対に曲がっても親骨の折損を気にすることはないが、より安全性を確保する意味から、強風を受けた場合には風圧を減衰させるために傘を少しつぼめた方がより安心である。
【００２２】  この傘を使用する場合、雨や風が強くなければ握り部８を持って普通の傘をさしている状態で使用する。風雨が強い場合には、傘が飛ばされないように握り部８と柄部７をしっかりと握り、雨にぬれないように風雨の来る方向へ傘を向けて使用する。この使用法も普通の傘と変わりがない。この状態で強風が急に後方から吹いてきた場合は、まず傘布５に風圧がかかり、それが親骨１と支持骨２の連結部３に大きな力となって伝わる。その力を受けて連結部３近くに設けたコイルバネ４が外側に曲がり、風が弱まると同時にコイルバネ４により傘布５が開いて傘は元の状態に戻る。強風が傘の外側から吹いてきた場合も同じようにコイルバネ４が傘布５と一緒に内側に曲がり親骨１が折れ曲がる損傷を防ぐ。傘が横風を受けた場合は、コイルバネ４はかかる風圧を軽減する方向に自由に曲がり、親骨１を損傷から守る。傘の外縁部が障害物などに当たった場合でも、同様にコイルバネ４が衝撃に対応して各方向に曲がり親骨１の損傷を防ぐ。この一連の傘の作動は、コイルバネ４が親骨１の２個所に装着された請求項２に示す傘でも、また連結部３から先端まですべてコイルバネ４で構成された請求項３に示す傘でも同様である。
【符号の説明】
【００２３】  １・・・親骨
２・・・支持骨
３・・・連結部
４・・・コイルバネ
５・・・傘布
６・・・昇降筒
７・・・柄部
８・・・握り部
【図１】
2011087887.tif 000003
【図２】
2011087887.tif 000004
【図３】
2011087887.tif 000005
【図４】
2011087887.tif 000006
【図５】
2011087887.tif 000007